(57)【要約】【課題】ハウジングへの端子の誤挿入を防止することができ、組付性を向上することができるワイヤハーネス収容構造を提供する。【解決手段】複数の電線３のそれぞれの両端部に仕様の異なる端子が接続されたワイヤハーネス９と、ワイヤハーネス９を収容可能な電線棚１１と、電線棚１１の一端側に配置され電線棚１１から引き出されたワイヤハーネス９の一端側の端子を収容可能なハウジング１３とを備えたワイヤハーネス収容構造１において、ワイヤハーネス９の一端側に、複数の端子を覆う第１保護キャップ１５を配置し、ワイヤハーネス９の他端側に、複数の端子を覆い外径が第１保護キャップ１５より大きく形成された第２保護キャップ１７を配置し、電線棚１１のハウジング１３側に、第１保護キャップ１５の外径より内径が大きいと共に第２保護キャップ１７の外径より内径が小さく形成された規制開口１９を設けた。【選択図】図２
2019134645.tif 000002
【特許請求の範囲】
【請求項１】
複数の電線のそれぞれの両端部に仕様の異なる端子が接続されたワイヤハーネスと、
前記ワイヤハーネスを収容可能な電線棚と、
前記電線棚の一端側に配置され前記電線棚から引き出された前記ワイヤハーネスの一端側の前記端子を収容可能なハウジングと、
前記ワイヤハーネスの一端側に配置され複数の前記端子を覆う第１保護キャップと、
前記ワイヤハーネスの他端側に配置され複数の前記端子を覆い外径が前記第１保護キャップより大きく形成された第２保護キャップと、
前記電線棚の前記ハウジング側に設けられ前記第１保護キャップの外径より内径が大きいと共に前記第２保護キャップの外径より内径が小さく形成された規制開口と、
を有することを特徴とするワイヤハーネス収容構造。
【請求項２】
請求項１記載のワイヤハーネス収容構造であって、
前記電線棚の前記ハウジングと反対側には、前記第２保護キャップの外径より内径が大きく形成され前記ワイヤハーネスを前記電線棚に収容可能な挿入開口が設けられ、
前記電線棚の前記挿入開口側の内部には、内径が前記規制開口の内径と同等に形成された規制段部が設けられていることを特徴とするワイヤハーネス収容構造。
【発明の詳細な説明】
【技術分野】
【０００１】
本発明は、ワイヤハーネス収容構造に関する。詳細には、仕様の異なる端子が両端部に接続されたワイヤハーネスを電線棚に収容し、電線棚から引き出されるワイヤハーネスの一端側の端子をハウジングに収容するワイヤハーネス収容構造に関する。
【背景技術】
【０００２】
従来、ワイヤハーネスとしては、両端部にそれぞれ仕様の異なる端子としての防食端子と非防食端子とが接続された電線を束ねて構成されたものがある。
【０００３】
このワイヤハーネスの防食端子としては、被水領域で使用され、電線がアルミ系金属からなり、端子が銅系金属からなり、電線と端子との接続部分が防食剤によって覆われ、被水による接続部分の腐食を防止する機能を有するものが知られている（例えば、特許文献１参照）。
【０００４】
このような防食端子と非防食端子とが接続されたワイヤハーネスは、電線棚に収容され、例えば、電線棚から引き出される防食端子が、電線棚の一端側に配置されたハウジングに収容される。
【０００５】
このようなワイヤハーネス収容構造において、ワイヤハーネスは、電線棚に収容される前の状態で、複数の防食端子と複数の非防食端子とが保護キャップによって覆われている。
【０００６】
この保護キャップは、ワイヤハーネスを電線棚に収容するときに取り外され、ワイヤハーネスの防食端子と非防食端子とが視認され、電線棚のハウジングと反対側の開口からワイヤハーネスが防食端子側から電線棚に収容されて、電線棚のハウジング側の開口に防食端子が配置される。
【先行技術文献】
【特許文献】
【０００７】
【特許文献１】特開２０１４−１７９２６０号公報
【発明の概要】
【発明が解決しようとする課題】
【０００８】
しかしながら、上記のようなワイヤハーネス収容構造では、電線棚のハウジング側の開口に、誤ってワイヤハーネスの他端側の端子が配置されてしまうと、ワイヤハーネスの他端側の端子が、ハウジングに誤挿入されてしまう恐れがあった。
【０００９】
加えて、ワイヤハーネスを電線棚に収容する前に、保護キャップを取り外して、ワイヤハーネスの両端側の端子を視認した後、ワイヤハーネスを電線棚に収容する必要があり、組付性が低下していた。
【００１０】
そこで、この発明は、ハウジングへの端子の誤挿入を防止することができ、組付性を向上することができるワイヤハーネス収容構造の提供を目的としている。
【課題を解決するための手段】
【００１１】
請求項１記載の発明は、複数の電線のそれぞれの両端部に仕様の異なる端子が接続されたワイヤハーネスと、前記ワイヤハーネスを収容可能な電線棚と、前記電線棚の一端側に配置され前記電線棚から引き出された前記ワイヤハーネスの一端側の前記端子を収容可能なハウジングと、前記ワイヤハーネスの一端側に配置され複数の前記端子を覆う第１保護キャップと、前記ワイヤハーネスの他端側に配置され複数の前記端子を覆い外径が前記第１保護キャップより大きく形成された第２保護キャップと、前記電線棚の前記ハウジング側に設けられ前記第１保護キャップの外径より内径が大きいと共に前記第２保護キャップの外径より内径が小さく形成された規制開口とを有することを特徴とするワイヤハーネス収容構造である。
【００１２】
このワイヤハーネス収容構造では、電線棚のハウジング側に、第１保護キャップの外径より内径が大きいと共に第２保護キャップの外径より内径が小さく形成された規制開口が設けられているので、ワイヤハーネスの他端側の端子を覆う第２保護キャップが規制開口を挿通することができず、電線棚のハウジング側にワイヤハーネスの他端側の端子が配置されることがない。
【００１３】
このため、ワイヤハーネスの他端側の端子がハウジングに収容されることがなく、ハウジングへの端子の誤挿入を防止することができる。
【００１４】
加えて、ワイヤハーネスを電線棚に収容する前に、第１保護キャップや第２保護キャップを取り外して端子を視認する必要がなく、組付性を向上することができる。
【００１５】
従って、このようなワイヤハーネス収容構造では、ハウジングへの端子の誤挿入を防止することができ、組付性を向上することができる。
【００１６】
請求項２記載の発明は、請求項１記載のワイヤハーネス収容構造であって、前記電線棚の前記ハウジングと反対側には、前記第２保護キャップの外径より内径が大きく形成され前記ワイヤハーネスを前記電線棚に収容可能な挿入開口が設けられ、前記電線棚の前記挿入開口側の内部には、内径が前記規制開口の内径と同等に形成された規制段部が設けられていることを特徴とする。
【００１７】
このワイヤハーネス収容構造では、電線棚の挿入開口側の内部に、内径が規制開口の内径と同等に形成された規制段部が設けられているので、ワイヤハーネスの第２保護キャップを挿入開口に挿入したときに、第２保護キャップが規制段部と当接し、ワイヤハーネスを電線棚に収容することができず、電線棚へのワイヤハーネスの収容初期段階で誤挿入を検知することができ、さらに組付性を向上することができる。
【発明の効果】
【００１８】
本発明によれば、ハウジングへの端子の誤挿入を防止することができ、組付性を向上することができるワイヤハーネス収容構造を提供することができるという効果を奏する。
【図面の簡単な説明】
【００１９】
【図１】本発明の実施の形態に係るワイヤハーネス収容構造の電線棚とハウジングの斜視図である。
【図２】本発明の実施の形態に係るワイヤハーネス収容構造の断面図である。
【図３】本発明の実施の形態に係るワイヤハーネス収容構造の電線と端子の側面図である。
【図４】本発明の実施の形態に係るワイヤハーネス収容構造のワイヤハーネスと第１保護キャップと第２保護キャップの側面図である。
【発明を実施するための形態】
【００２０】
図１〜図４を用いて本発明の実施の形態に係るワイヤハーネス収容構造について説明する。
【００２１】
本実施の形態に係るワイヤハーネス収容構造１は、複数の電線３のそれぞれの両端部に仕様の異なる端子５，７が接続されたワイヤハーネス９と、ワイヤハーネス９を収容可能な電線棚１１と、電線棚１１の一端側に配置され電線棚１１から引き出されたワイヤハーネス９の一端側の端子５を収容可能なハウジング１３とを備えている。
【００２２】
また、ワイヤハーネス９の一端側には、複数の端子５を覆う第１保護キャップ１５が配置され、ワイヤハーネス９の他端側には、複数の端子７を覆い外径が第１保護キャップ１５より大きく形成された第２保護キャップ１７が配置されている。
【００２３】
そして、電線棚１１のハウジング１３側には、第１保護キャップ１５の外径より内径が大きいと共に第２保護キャップ１７の外径より内径が小さく形成された規制開口１９が設けられている。
【００２４】
また、電線棚１１のハウジング１３と反対側には、第２保護キャップ１７の外径より内径が大きく形成されワイヤハーネス９を電線棚１１に収容可能な挿入開口２１が設けられている。
【００２５】
そして、電線棚１１の挿入開口２１側の内部には、内径が規制開口１９の内径と同等に形成された規制段部２３が設けられている。
【００２６】
図１〜図４に示すように、ワイヤハーネス９は、両端部にそれぞれ仕様の異なる端子５，７が接続された電線３を複数束ねることによって構成されている。
【００２７】
電線３は、例えば、アルミニウム又はアルミニウム合金などのアルミニウム系金属からなる複数の素線が撚られた導体の外周を絶縁被覆で覆ったアルミ電線からなる。
【００２８】
この電線３は、両端部の絶縁被覆が所定長さ剥がされ、露出した導体に対してそれぞれ仕様の異なる端子５，７が圧着されて電気的に接続される。
【００２９】
端子５，７は、例えば、銅又は銅合金などの銅系金属からなり、箱状の接続部を有する雌型端子となっており、圧着片を電線３の導体に対して圧着することにより、電線３に電気的に接続される。
【００３０】
この端子５，７は、例えば、端子５が水などと接触する恐れがある被水領域で使用され、端子７が水などと接触する恐れのない非被水領域で使用されるように、互いの使用領域が異なっている。
【００３１】
このため、端子５は、被水による腐食を防止するために、電線３との接続部が防食剤２５によって覆われた防食端子となっており、端子７とはその仕様が異なっている。
【００３２】
このような端子５，７が両端部に接続された電線３は、複数本が束ねられた状態でワイヤハーネス９を構成する。
【００３３】
このワイヤハーネス９の一端側の複数の端子５は、それぞれ被水領域で使用される相手ハウジング（不図示）と嵌合可能なハウジング１３に収容される。
【００３４】
このハウジング１３は、複数の端子５が収容される前の状態で、電線棚１１の一端側に配置され、電線棚１１に収容されたワイヤハーネス９の一端側の複数の端子５が、一本ずつ、作業者により収容される。
【００３５】
この電線棚１１に収容される前の状態で、ワイヤハーネス９の両端部の複数の端子５，７は、それぞれ第１保護キャップ１５と、第２保護キャップ１７とによって保護されている。
【００３６】
第１保護キャップ１５は、ワイヤハーネス９の一端側の複数の端子５をまとめて、複数の端子５の外周を覆うように組付けられ、輪ゴムなどの結束部材２７を介してワイヤハーネス９に組付けられる。
【００３７】
第２保護キャップ１７は、外径が第１保護キャップ１５の外径より大きく形成され、ワイヤハーネス９の他端側の複数の端子７をまとめて、複数の端子７の外周を覆うように組付けられ、輪ゴムなどの結束部材２７を介してワイヤハーネス９に組付けられる。
【００３８】
このような第１保護キャップ１５と第２保護キャップ１７とが両端部に組付けられたワイヤハーネス９は、電線棚１１に収容される。
【００３９】
電線棚１１は、ワイヤハーネス９を収容可能なように筒状に形成され、複数のワイヤハーネス９をそれぞれ収容可能なように複数が並列に配置され、それぞれ挿入開口２１と、規制開口１９と、規制段部２３とが設けられている。
【００４０】
挿入開口２１は、電線棚１１のハウジング１３と反対側の端面に開口して設けられ、内径が第２保護キャップ１７の外径より大きく形成されている。
【００４１】
この挿入開口２１には、ワイヤハーネス９が、第１保護キャップ１５側から挿入され、ワイヤハーネス９が電線棚１１に収容された状態で、第２保護キャップ１７が配置される。
【００４２】
このような挿入開口２１の側壁には、第２保護キャップ１７の結束部材２７が位置する部分に、側壁を貫通して窓部２９が設けられ、ワイヤハーネス９が電線棚１１に収容された状態で、窓部２９を介して結束部材２７が取り外され、電線棚１１から第２保護キャップ１７が取り外される。
【００４３】
規制開口１９は、電線棚１１のハウジング１３側の端面に開口して設けられ、内径が第１保護キャップ１５の外径より大きく、且つ第２保護キャップ１７の外径より小さく形成されている。
【００４４】
このため、電線棚１１の挿入開口２１にワイヤハーネス９の第１保護キャップ１５が挿入された場合には、第１保護キャップ１５が規制開口１９を挿通し、第１保護キャップ１５を電線棚１１のハウジング１３側に配置することができる。
【００４５】
この第１保護キャップ１５が電線棚１１のハウジング１３側に配置された状態では、結束部材２７が電線棚１１から露出されており、結束部材２７を取り外すことで、第１保護キャップ１５が取り外され、ハウジング１３に複数の端子５を収容することができる。
【００４６】
一方、電線棚１１の挿入開口２１にワイヤハーネス９の第２保護キャップ１７が挿入された場合には、第２保護キャップ１７の外周が規制開口１９の内縁部と干渉し、第２保護キャップ１７が規制開口１９を挿通することができない。
【００４７】
このため、ワイヤハーネス９を電線棚１１に収容することができず、電線棚１１へのワイヤハーネス９の誤挿入を検知することができ、ハウジング１３に複数の端子７が収容されることがない。
【００４８】
このように電線棚１１に規制開口１９を設けることにより、ワイヤハーネス９を電線棚１１に収容する前に、第１保護キャップ１５と第２保護キャップ１７とを取り外して端子５，７を視認する必要がなく、電線棚１１へのワイヤハーネス９の誤挿入を防止し、ハウジング１３への端子７の誤挿入を防止することができる。
【００４９】
ここで、電線棚１１の挿入開口２１側の内部には、内径が規制開口１９の内径と同等に形成された規制段部２３が設けられている。
【００５０】
このように規制段部２３を設けることにより、電線棚１１の挿入開口２１にワイヤハーネス９の第２保護キャップ１７が挿入された場合、規制段部２３と第２保護キャップ１７とが干渉し、挿入の初期段階で、電線棚１１へのワイヤハーネス９の誤挿入を検知することができる。
【００５１】
なお、規制段部２３の挿入開口２１側は、規制段部２３から挿入開口２１側に向けて電線棚１１の内径を大きくするように傾斜されたテーパ面となっており、第２保護キャップ１７との急激な衝突、いわゆるど突きが防止されている。
【００５２】
このように構成されたワイヤハーネス収容構造１における収容方法は、まず、電線３の一端側と他端側とにそれぞれ仕様の異なる端子５，７を接続する。
【００５３】
次に、端子５，７が接続された電線３を複数本束ねてワイヤハーネス９を構成し、複数の端子５に第１保護キャップ１５を組付け、複数の端子７に第２保護キャップ１７を組付ける。
【００５４】
次に、電線棚１１の挿入開口２１に第１保護キャップ１５側からワイヤハーネス９を挿入し、規制開口１９から第１保護キャップ１５を露出させて、ワイヤハーネス９を電線棚１１に収容する。
【００５５】
そして、第１保護キャップ１５と第２保護キャップ１７とを取り外し、複数の端子５を電線棚１１の一端側に配置させ、作業者によるハウジング１３への端子５の収容により、収容作業を完了する。
【００５６】
このようなワイヤハーネス収容構造１では、電線棚１１のハウジング１３側に、第１保護キャップ１５の外径より内径が大きいと共に第２保護キャップ１７の外径より内径が小さく形成された規制開口１９が設けられているので、ワイヤハーネス９の他端側の端子７を覆う第２保護キャップ１７が規制開口１９を挿通することができず、電線棚１１のハウジング１３側にワイヤハーネス９の他端側の端子７が配置されることがない。
【００５７】
このため、ワイヤハーネス９の他端側の端子７がハウジング１３に収容されることがなく、ハウジング１３への端子７の誤挿入を防止することができる。
【００５８】
加えて、ワイヤハーネス９を電線棚１１に収容する前に、第１保護キャップ１５や第２保護キャップ１７を取り外して端子５，７を視認する必要がなく、組付性を向上することができる。
【００５９】
従って、このようなワイヤハーネス収容構造１では、ハウジング１３への端子７の誤挿入を防止することができ、組付性を向上することができる。
【００６０】
また、電線棚１１の挿入開口２１側の内部には、内径が規制開口１９の内径と同等に形成された規制段部２３が設けられているので、ワイヤハーネス９の第２保護キャップ１７を挿入開口２１に挿入したときに、第２保護キャップ１７が規制段部２３と当接し、ワイヤハーネス９を電線棚１１に収容することができず、電線棚１１へのワイヤハーネス９の収容初期段階で誤挿入を検知することができ、さらに組付性を向上することができる。
【００６１】
なお、本発明の実施の形態に係るワイヤハーネス収容構造では、仕様の異なる端子として、防食端子と非防食端子とを例示しているが、これに限らず、例えば、一方の端子を雄型端子とし、他方の端子を雌型端子とするなど、端子の仕様の違いはどのような形態であってもよい。
【符号の説明】
【００６２】
１…ワイヤハーネス収容構造
３…電線
５，７…端子
９…ワイヤハーネス
１１…電線棚
１３…ハウジング
１５…第１保護キャップ
１７…第２保護キャップ
１９…規制開口
２１…挿入開口
２３…規制段部
【図１】
2019134645.tif 000003
【図２】
2019134645.tif 000004
【図３】
2019134645.tif 000005
【図４】
2019134645.tif 000006